(57)【要約】【課題】  シリンダ錠を備える施錠装置において、鍵の向きに関わらず容易に鍵穴に鍵を挿入でき、且つ、十分に防犯効果が得られるようにすることを目的とする。【解決手段】  ケースにカンヌキの端部が挿入されることにより形成されたループ形状を保持するためのシリンダ錠２０を備えた馬蹄錠において、シリンダ錠２０を解錠するための鍵４の鍵板５２には、両方の板面５４に、鍵４の挿入方向に沿って凹溝５６が板面を上方から見たときに同形状となるように形成されている。一方、シリンダ錠の内筒３６に挿入されるタンブラ２２〜３２の鍵挿通孔の孔縁には、鍵４が挿入された際にこの鍵４の凹溝５６に係合し、タンブラ２２〜３２を整列させる第２凸部が形成されている。【選択図】  図２
0003110279.tif 000002
【実用新案登録請求の範囲】
【請求項１】
長尺状の接続部材の一部が挿入孔に挿入されることにより、該接続部材と共にループ体を形成する錠本体を備えると共に、この錠本体の内部に、前記接続部材に形成された被係合部に係合して前記ループ形状を保持するためのシリンダ錠を備えた施錠装置であって、
前記シリンダ錠は、
外周縁に第１凸部が形成されると共に、略中央部に鍵挿通孔が形成された複数のタンブラと、
円柱状に形成され、該円柱の一端側から他端方向に向かって穿設された鍵挿通孔と、前記円柱の鍵挿通孔とは反対側の端部に突設され、前記被係合部に係合可能な係合部と、前記円柱の側壁から前記鍵挿通孔を含む内部領域にかけて穿設され、前記タンブラを挿入するための複数のタンブラ挿入孔とを有する内筒と、
この内筒を回動可能に支持するための中空部を有し、該中空部の内周面に前記タンブラの第１凸部に係合可能なタンブラ係合溝が形成された外筒と、
前記各タンブラと共に前記各タンブラ挿入孔に夫々挿入され、前記第１凸部が前記外筒のタンブラ係合溝に係合するように前記各タンブラを外向きに付勢する複数のコイルばねと、
を備え、前記鍵が鍵挿通孔に挿入されることにより、前記第１凸部と前記タンブラ係合溝との係合が解除されて前記内筒が回転可能となり、この状態で前記鍵が回転されることにより前記内筒が回転すると共に、前記内筒の係合部と前記接続部材の被係合部との係合が解除され、前記接続部材の一部が前記錠本体の挿入孔から取り外し可能となるように構成され、
前記鍵は、
平板状の鍵板と、摘みと、からなり、前記鍵板の両板面に、前記鍵の挿入方向に沿って凹部が板面を上方から見たときに同形状となるように形成され、
しかも、前記タンブラの鍵挿通孔の孔縁には、前記鍵が挿入された際にこの鍵の前記凹部に係合し、前記タンブラを整列させる第２凸部が形成されていることを特徴とする施錠装置。
【請求項２】
前記鍵板に形成された凹部は、溝幅が連続して変化するように形成された凹溝であることを特徴とする請求項１に記載の施錠装置。
【請求項３】
前記鍵板に形成された凹部は、側端縁に沿って形成された窪みであることを特徴とする請求項１に記載の施錠装置。
【請求項４】
前記シリンダ錠は、前記内筒の鍵挿通孔を解放及び閉鎖可能なカバーを備えることを特徴とする請求項１に記載の施錠装置。
【請求項５】
前記カバーは板状であり、
前記シリンダ錠の内筒には、鍵が差し込まれる側の端面である鍵差込面に前記カバーを摺動可能に支持するための凹部であるカバー支持部が形成され、
前記シリンダ錠は、前記カバーを一方向に付勢し、前記鍵挿通孔を閉鎖する位置に支持する付勢部材を備えることを特徴とする請求項４に記載の施錠装置。
【請求項６】
前記シリンダ錠は、略中央部に鍵挿通孔が穿設されると共に前記内筒の鍵差込面側の端部に嵌合可能に形成されたキャップを備え、
前記カバーには、前記付勢部材に支持される端面に対向する面の前記キャップ側の端辺に面取りが施され、
前記キャップの鍵挿通孔の前記カバーの面取りされた辺にあたる辺には、前記鍵の先端を前記カバーの面取りに導くためのガイドが設けられていることを特徴とする請求項５に記載の施錠装置。
【請求項７】
前記タンブラ挿入孔は、前記内筒の側壁の両側面から交互に穿設され、前記タンブラは、前記内筒に両側面から交互に挿入されることを特徴とする請求項６に記載の施錠装置。
【請求項８】
前記鍵の凹部は、鍵の挿入方向に平行で、且つ幅方向の辺の中点を通る線を中心線として非対称であることを特徴とする請求項７に記載の施錠装置。
【考案の詳細な説明】
【技術分野】
【０００１】
本考案は、シリンダ錠を備えた施錠装置に関する。
【背景技術】
【０００２】
従来より、自転車用の施錠装置として、後輪ホーク等に装着され、スポーク間にカンヌキをスライドさせることにより車輪を回転不能とし、走行を阻止する馬蹄錠があり、この馬蹄錠の錠前としてシリンダ錠が用いられているものが知られている。しかしながら、このような馬蹄錠に使用されているシリンダ錠は、使用される鍵穴及び鍵の種類が少ない等の理由からピッキング等の不正解錠に弱いという問題があった。
【０００３】
一方、上記問題を回避する方法として、馬蹄錠のケースに、複数種のシリンダ錠を取付可能な構成を設け、鍵穴形状の異なる既製のシリンダ錠を同じ型のケースに取付けることにより、馬蹄錠全体を作り替えることなく、低コストに鍵穴及び鍵の種類を増やす方法が提案されている（例えば、特許文献１等参照）。
【特許文献１】特開平８−１２０９９４号公報
【考案の開示】
【考案が解決しようとする課題】
【０００４】
しかしながら、上記方法を用いたとしても、大きさ等の制約から適用できるシリンダ錠の数は限られており、また、鍵自体の複製が容易なものも多く、防犯効果は不十分であった。また、馬蹄錠等に使用されるシリンダ錠の鍵は、鍵山が対称でなく、鍵を挿入する向きを鍵穴に合わせる必要のあるものが多く、狭い場所又は暗い場所における解錠作業が非常に困難であった。さらに、鍵山が鍵穴にひっかかり、鍵を挿入しにくいという問題もあった。
【０００５】
本考案は、こうした問題に鑑みなされたもので、シリンダ錠を備える施錠装置において、鍵の向きに関わらず容易に鍵穴に鍵を挿入でき、且つ、十分に防犯効果が得られるようにすることを目的とする。
【課題を解決するための手段】
【０００６】
係る目的を達成するためになされた請求項１に記載の考案は、長尺状の接続部材の一部が挿入孔に挿入されることにより、該接続部材と共にループ体を形成する錠本体を備えると共に、この錠本体の内部に、前記接続部材に形成された被係合部に係合して前記ループ形状を保持するためのシリンダ錠を備えた施錠装置であって、前記シリンダ錠は、外周縁に第１凸部が形成されると共に、略中央部に鍵挿通孔が形成された複数のタンブラと、円柱状に形成され、該円柱の一端側から他端方向に向かって穿設された鍵挿通孔と、前記円柱の鍵挿通孔とは反対側の端部に突設され、前記被係合部に係合可能な係合部と、前記円柱の側壁から前記鍵挿通孔を含む内部領域にかけて穿設され、前記タンブラを挿入するための複数のタンブラ挿入孔とを有する内筒と、この内筒を回動可能に支持するための中空部を有し、該中空部の内周面に前記タンブラの第１凸部に係合可能なタンブラ係合溝が形成された外筒と、前記各タンブラと共に前記各タンブラ挿入孔に夫々挿入され、前記第１凸部が前記外筒のタンブラ係合溝に係合するように前記各タンブラを外向きに付勢する複数のコイルばねと、を備え、前記鍵が鍵挿通孔に挿入されることにより、前記第１凸部と前記タンブラ係合溝との係合が解除されて前記内筒が回転可能となり、この状態で前記鍵が回転されることにより前記内筒が回転すると共に、前記内筒の係合部と前記接続部材の被係合部との係合が解除され、前記接続部材の一部が前記錠本体の挿入孔から取り外し可能となるように構成され、前記鍵は、平板状の鍵板と、摘みと、からなり、前記鍵板の両板面に、前記鍵の挿入方向に沿って凹部が板面を上方から見たときに同形状となるように形成され、しかも、前記タンブラの鍵挿通孔の孔縁には、前記鍵が挿入された際にこの鍵の前記凹部に係合し、前記タンブラを整列させる第２凸部が形成されていることを特徴とする。
【０００７】
このように本考案の施錠装置は、接続部材の一部が、錠本体の挿入孔に挿入されて、接続部材と錠本体とにより施錠のためのループ体を形成した際に、接続部材に形成された被係合部に係合してこのループ形状を保持するためのシリンダ錠を備える。そして、このシリンダ錠に挿入される鍵は、平板状の鍵板の両板面に鍵の挿入方向に沿って凹部が板面を上方から見たときに同形状となるように形成されており、一方、シリンダ錠を構成するタンブラの鍵挿通孔の内部には、鍵が挿入された際に、鍵の凹部に係合して各タンブラを整列させるための第２凸部が設けられている。
【０００８】
そして、この鍵がシリンダ錠の鍵挿通孔に挿入されると、鍵の凹部とタンブラの第２凸部とが係合して各タンブラが整列し、タンブラの第１凸部と外筒のタンブラ係合溝との係合が解除されて内筒が回転可能となる。さらに、この状態で鍵が回転されることにより内筒が回転すると共に、内筒の係合部と接続部材の被係合部との係合が解除され、接続部材の一部を錠本体の挿入孔から取り外すことが可能になる。
【０００９】
つまり、この施錠装置によれば、シリンダ錠の内筒を回転可能とし、内筒の係合部と接続部材の被係合部との係合を解除するために、鍵板の両板面に鍵の挿入方向に沿って凹部が形成された鍵を使用するため、この鍵の加工には特殊な切削機械が必要となる。このため、鍵が容易に複製されることを防止することができ、従来の施錠装置と比べ、防犯効果を向上できる。また、鍵山が外形より外に出ていないので、鍵の抜き差しがスムーズになり、さらに、両側面に設けられた凹部は同形状であるために、表裏を問わず使用でき、都合がよい。
【００１０】
尚、請求項１に記載の施錠装置において、鍵板の凹部は、請求項２に記載のように、溝幅が連続して変化するように形成された凹溝としてもよく、あるいは、請求項３に記載のように、側端縁に沿って形成された窪みとしてもよい。このようにすると、請求項１に記載の施錠装置と同様の効果を得ることができる。
【００１１】
一方、請求項１に記載の施錠装置において、シリンダ錠は、請求項４に記載のように、内筒の鍵挿通孔を解放及び閉鎖可能なカバーを備えるようにしてもよい。
このようにすると、鍵が挿入されていないときに鍵挿通孔がカバーにより塞がれるので、鍵穴内部に水又は埃等が侵入することを防止することができる。
【００１２】
そして、請求項４に記載の施錠装置において、カバーは、内筒の鍵挿通孔と、鍵挿通孔の形成された面の全面を覆う様に形成してもよいが、請求項５に記載のように、内筒の鍵が差し込まれる側の端面である鍵差込面に、カバーを摺動可能に支持するための凹部であるカバー支持部を設け、このカバー支持部内に、板状に形成したカバーが、カバーを一方向に付勢し、鍵挿通孔を閉鎖する位置に付勢部材によって支持されるようにしてもよい。
【００１３】
このようにすると、鍵の先端をカバーにあてて鍵を差し込むことで、カバーをスライドさせて鍵をシリンダ錠内に挿入できるので便利である。そして、板状のカバーを付勢部材により支持しているだけなので低コストに鍵挿通孔を閉鎖する機構を実現できる。
【００１４】
さらに、請求項５に記載の施錠装置において、シリンダ錠は、請求項６に記載のように、略中央部に鍵挿通孔が穿設されると共に内筒の鍵差込面側の端部に嵌合可能に形成されたキャップを設け、カバーの付勢部材に支持される端面に対向する面のキャップ側の端辺に面取りを施し、キャップの鍵挿通孔のカバーの面取りされた辺にあたる辺には、鍵の先端をカバーの面取りに導くためのガイドを設けるようにしてもよい。
【００１５】
このようにすると、キャップの鍵挿通孔に設けられたガイドに沿って鍵の先端をカバーの面取り部にあてて鍵を差し込むことで、より容易にカバーを解放する位置にスライドさせて鍵を鍵挿通孔内に挿入できるので都合がよい。
【００１６】
そして、請求項６に記載の施錠装置において、シリンダ錠は、請求項７に記載のように、タンブラ挿入孔が内筒の側壁の両側面から交互に穿設されており、タンブラが、内筒に両側面から交互に挿入されるようにしてもよい。
【００１７】
このようにすると、タンブラの挿入方向が逆になるので、例えば同じタンブラを使用しても右側から挿入した場合と、左側から挿入した場合とでは、鍵に係合する第２凸部の位置が異なる。このため、同数のタンブラで番手数を２倍にすることが可能となり、より防犯効果を高めることができる。
【００１８】
そして、タンブラ挿入孔のコイルばねが挿入される部分は、他の部分より幅が必要となるが、コイルばねの挿入部が両側面で交互に設けられることになるので、各タンブラ挿入孔の間隔を狭くすることができ、同じ数のタンブラ挿入孔を備えつつ、内筒の長さを短くすることができる。このため、シリンダ錠全体の長さを短くすることが可能であると共に、鍵の長さも短くなるので、より小型の接続部材に組み込むことが可能となると共にシリンダ錠及び鍵自体の加工費を抑えることができる。
【００１９】
また、請求項７に記載の施錠装置において、鍵板に形成された凹部は、鍵の挿入方向に平行で、且つ幅方向の辺の中点を通る線を中心線として非対称としてもよい。
このようにすると、凹部の形成する側壁の形状が倍になるので、鍵の番手を増やすことが可能である。
【考案を実施するための最良の形態】
【００２０】
以下に、本考案の実施形態を図面と共に説明する。
［第１実施例］
まず、本考案の第１実施例について説明する。図１は、第１実施例の馬蹄錠２及び鍵４の外観を示す外観図、図２は、第１実施例の馬蹄錠２に取付られたシリンダ錠２０の内部構成及び鍵４の形状を示す分解図、図３は（ａ）は、タンブラ２２の形状を示す外形図、図３（ｂ）は、ストッパータンブラ３４の形状を示す外形図、図４（ａ）は、シリンダ錠２０のカバー４８とキャップ４６との取付構成を示す説明図、図４（ｂ）は、カバー４８の形状を示す外形図である。
【００２１】
第１実施例の施錠装置１は、馬蹄錠２とこの馬蹄錠２を解錠するための鍵４とから構成される。馬蹄錠２は、図１に示すとおり、円弧状に湾曲した中空のケース６と、ケース６の両端を架橋する施錠位置（図１参照）から当該架橋を解いてケース６に収納される解錠位置との間でスライド可能な円弧状に湾曲した棒状体のカンヌキ８と、カンヌキ８に突設されると共に、ケース６に形成されたスリット１０を介してケース外へ突出し、カンヌキ８のスライド操作が可能なレバー１２と、施錠位置にてカンヌキ８の被係合部を係合してスライド不能とするシリンダ錠２０とを備えている。
【００２２】
尚、第１実施例の馬蹄錠２の内部構造等は、従来の馬蹄錠と同様であり、上記構成部品の他に、一端がケース６に固定され、他端がケース６内でカンヌキ８の端部に連結されたコイルスプリング（図示略）、シリンダ錠２０に連結し、カンヌキ８に係合して施錠位置に保持するための連結部材（図示略）等がケース６内部に収納されている。
【００２３】
一方、鍵４は、図２に示すように、合成樹脂製の摘み６２と、シリンダ錠２０の内筒３６（図２参照）とほぼ等しい長さの長尺状の鍵板５２とからなる。そして、鍵板５２は、シリンダ錠２０に挿入しやすいように先端部６０が先細形状に形成されている。また、鍵板５２の板面５４には、鍵４の挿入方向に沿って、溝幅が連続して変化する凹溝５６が形成されており、この凹溝５６は鍵４の挿入方向に平行で、且つ幅方向の中心を通る線を中心線として非対称に形成されている。また、この凹溝５６は、鍵板５２の板面５４を上方から見たときに両板面で同形状となるように形成されており、表裏を問わず使用可能に構成されている。
【００２４】
シリンダ錠２０は、図２に示すように、中央部に鍵を挿通するための鍵挿通孔が形成された６枚のタンブラ２２〜３２と、中央部に鍵を挿通するための切り欠きが形成されたストッパータンブラ３４と、これらのタンブラ２２〜３２及びストッパータンブラ３４を挿入するためのタンブラ挿入孔３６ａを有する内筒３６と、この内筒３６を回動可能に支持するための中空部を有し、この中空部の内周面にタンブラ２２〜３２及びストッパータンブラ３４が係合可能な溝が形成された外筒３８と、タンブラ２２〜３２及びストッパータンブラ３４と共に前記各タンブラ挿入孔３６ａに夫々挿入され、タンブラ２２〜３２及びストッパータンブラ３４が外筒３８の内周面に形成された溝に係合するようにタンブラ２２〜３２及びストッパータンブラ３４を外向きに各々付勢する複数のタンブラスプリング４０と、外筒３８と内筒３６との間で径方向への往復動が可能なサイドバー４２と、サイドバー４２に外向きの付勢力を作用させるサイドバースプリング４４と、中央部に鍵４の鍵挿通孔４６ａを備えたキャップ４６と、キャップ４６と内筒３６との間で、内筒３６の鍵挿通孔を閉鎖する位置に配置されるカバー４８と、カバー４８を内筒３６の鍵挿通孔を解放及び閉鎖する位置に摺動可能とするためのカバースプリング５０と、から構成される。
【００２５】
タンブラ２２〜３２及びストッパータンブラ３４は、金属製の薄板材からなり、外周縁にタンブラスプリング４０を支持するためのスプリング支持部２２ｂ〜３４ｂが形成されている。そして、タンブラ２２には、図３（ａ）に示すように、外周縁に外筒３８の内周面に形成された溝に係合する位置に第１凸部２２ｃが形成されていると共に、サイドバー４２の一部が係合し、サイドバー４２の径方向への移動を許容可能とするためのサイドバー支持溝２２ｄが形成されている。また、中央部に形成された鍵挿通孔２２ａの孔縁には鍵４の鍵板５２の板面５４に形成された凹溝５６に係合する位置に第２凸部２２ｅが設けられている。尚、タンブラ２４〜３２についても、タンブラ２２と同様の凸部及び溝が、位置を変えて形成されている。一方、ストッパータンブラ３４には、図３（ｂ）に示すように、中央部に鍵を挿通するための切り欠き３４ａが形成されている。
【００２６】
内筒３６は、図２、図４（ａ）に示すように円柱状に形成され、円柱の一端側から他端方向に向かって鍵４の鍵板５２の外形に適合する形状及び大きさの矩形状に鍵挿通孔が穿設され、この円柱の反対側の端部には、カンヌキ８に形成された被係合部に係合する連結部材に連結される突起３６ｂが突設されている。そして、円柱の側壁から鍵挿通孔を含む内部領域にかけて、タンブラ挿入孔３６ａが長さ方向へ一定間隔毎に穿設され、各タンブラ挿入孔３６ａの一端には、タンブラ２２〜３２及びストッパータンブラ３４を外向きに付勢し、外筒３８の内周面に形成された溝に押圧するタンブラスプリング４０が挿入されるスプリング挿入部３６ｃが、両側面で交互に形成されている。さらに内筒３６の側壁には、サイドバー４２を支持するための矩形のサイドバー支持孔３６ｄが形成され、このサイドバー支持孔３６ｄの底部には、サイドバー４２の一部が挿入可能な脚部挿入溝（図示略）が形成されて鍵挿通孔及びタンブラ挿入孔３６ａに貫通している。
【００２７】
また、鍵が差し込まれる側の端面である鍵差込面には、鍵挿通孔の周囲に略正方形の凹部であるカバー支持孔３６ｅが形成され、このカバー支持孔３６ｅのサイドバー支持孔３６ｄが形成された側の側壁の中央部に、カバースプリング５０を支持するためのカバースプリング支持溝３６ｆが形成されている。そして、内筒３６のこの面側の側壁にはキャップ４６をかしめ付けるための係止孔３６ｇが４箇所形成されている。
【００２８】
外筒３８は、図２に示すように、両端が開口し、内筒３６が内部に収納された際にサイドバー４２と係合するサイドバー係合部３８ａが一部突出した円筒体であり、ケース６内に固定される。そして、内周面にはタンブラ２２〜３２の第１凸部２２ｃ〜３２ｃと係合するタンブラ係合溝３８ｂが、サイドバー係合部３８ａと９０度異なる位置に対向して両側壁に形成され、ストッパータンブラ３４の外周縁と係合し、外筒３８内での内筒３６の回転を規制するためのストッパータンブラ係合部３８ｃが一端側の端部に形成されている。尚、内筒３６が外筒３８内に支持されている際は、ストッパータンブラ３４は、外周縁がこのストッパータンブラ係合部３８ｃに係合することにより、外筒３８内における内筒３６の回転角度を一定の角度（例えば略９０度）に規制すると共に、内筒３６が外筒３８から抜け出ることを防止している。
【００２９】
サイドバー４２は、外筒３８のサイドバー係合部３８ａに係合可能な円柱を半分に切断した形状の係合頭部４２ａと、その矩形の切断面を二等分する矩形の長辺に平行な中心線上に突設され、内筒３６のサイドバー支持孔３６ｄの底部に形成された脚部挿入溝に挿入される脚部４２ｂと、からなり、さらに係合頭部４２ａには脚部４２ｂの両側にサイドバースプリング４４を支持する支持溝４２ｃが形成されている。
【００３０】
サイドバースプリング４４は、サイドバー４２の支持溝４２ｃに収納される幅の金属製の細長い薄板を折り曲げることにより構成された板ばねである。
キャップ４６は、図４（ａ）に示すように、内筒３６に嵌合可能な大きさに形成された一端が開口した円筒状であり、中央部に矩形の鍵挿通孔４６ａが形成され、開口部の端縁には、内筒３６の係止孔３６ｇに係合する係止爪４６ｂが４箇所設けられている。そして、鍵挿通孔４６ａの長辺の内の一辺は、その端部に切り込みが形成されており、この部分が円筒の内側方向へ略４５度に折り曲げられ、鍵４の先端をカバー４８の端部に導くためのガイド４６ｃを構成している。
【００３１】
カバー４８は、図４（ｂ）に示すように、矩形の板片の長辺側の端面にカバースプリング５０の一端を支持するための切り欠き４８ａが形成され、対向する端面の一端に面取り４８ｂが形成されている。
【００３２】
カバースプリング５０は、コイルばねであり、収縮されていない状態でカバー４８の面取り４８ｂの端面側のエッジ４８ｃが、キャップ４６のガイド４６ｃのエッジと重なる位置に支持される長さに形成されている。
【００３３】
尚、本第１実施例において、ケース６は本考案の錠本体に相当し、カンヌキ８は本考案の接続部材に相当し、タンブラスプリング４０は、本考案のコイルばねに相当し、突起３６ｂ及び連結部材は本考案の係合部に相当し、カバースプリング５０は、本考案の付勢部材に相当する。
【００３４】
次に、このシリンダ錠２０の組立方法について説明する。まず、内筒３６のカバー支持孔３６ｅ内に、切り欠き４８ａがカバースプリング支持溝３６ｆに対向し、面取り４８ｂが手前側になるようにカバー４８を収納する。そして、カバースプリング５０の一端をカバー４８の切り欠き４８ａに、他端をカバースプリング支持溝３６ｆに支持されるように、カバー支持孔３６ｅ内に収納する。ここで、キャップ４６を、ガイド４６ｃのエッジが、カバー４８の面取り４８ｂのエッジ４８ｃに重なる向きに、内筒３６の鍵差込面側に嵌合させ、内筒３６の係止孔３６ｇに係止爪４６ｂを係合させる。そして、この係合部をかしめることによりキャップ４６が固定され、カバー４８がカバー支持孔３６ｅの内部でキャップ４６の鍵挿通孔４６ａを開放、閉鎖する位置に摺動可能となる。
【００３５】
一方、タンブラ２２〜３２及びストッパータンブラ３４のスプリング支持部２２ｂ〜３４ｂにタンブラスプリング４０を収縮させて挿入し、反発力により支持させる。そして、内筒３６の突起３６ｂが突設されている側のタンブラ挿入孔３６ａに、タンブラスプリング４０を支持したストッパータンブラ３４を挿入する。また、鍵差込面側のタンブラ挿入孔３６ａからタンブラ２２〜３２を順に両側から交互に挿入する。そして、サイドバー支持孔３６ｄにサイドバースプリング４４を挿入し、さらにサイドバー４２を、脚部４２ｂを内筒３６の脚部挿入溝に挿入しつつ、サイドバースプリング４４が、鍵差込面側から見たときに左側にある支持溝４２ｃに支持されるように挿入する。尚、この状態では、タンブラ２２〜３２及びストッパータンブラ３４と、サイドバー４２とは、夫々タンブラスプリング４０、サイドバースプリング４４により外向きに付勢され、内筒３６の側壁より突出している。
【００３６】
ここで、キャップ４６の鍵挿通孔４６ａから鍵４を差し込んで内筒３６内に挿入し、タンブラ２２〜３２の６枚のタンブラの鍵挿通孔２２ａ〜３２ａの第２凸部２２ｅ〜３２ｅを鍵４の板面５４に形成された凹溝５６の側壁５８に係合させることにより、タンブラ２２〜３２が内筒３６内に収納され、さらに、タンブラ２２〜３２のサイドバー支持溝２２ｄ〜３２ｄが整列されてサイドバー４２が内筒３６内に収納可能な状態となる。そして、この状態で、ストッパータンブラ３４を内筒３６内に収納する方向に押圧しつつ、内筒３６を外筒３８の内部に挿入し、ストッパータンブラ３４がストッパータンブラ係合部３８ｃに係合されると共に、サイドバー４２がサイドバー係合部３８ａに係合された状態で鍵４を抜き取る。
【００３７】
このように構成された第１実施例の施錠装置１は、馬蹄錠２のカンヌキ８の一部がケース６の挿入孔に挿入されてカンヌキ８とケース６とにより施錠のためのループ体を形成した際に、カンヌキ８に形成された被係合部に連結部品を介して係合し、このループ形状を保持するためのシリンダ錠２０を備えている。そして、このシリンダ錠２０に挿入される鍵４は、平板状の鍵板５４の両板面に鍵４の挿入方向に沿って凹溝５６が非対称に形成され、この凹溝５６は板面５４の上方から見たときに同形状となるように形成されている。一方、シリンダ錠２０を構成するタンブラ２２〜３２の鍵挿通孔２２ａ〜３２ａの内部には、鍵４が挿入された際に、鍵４の凹溝５６の側壁５８に係合して各タンブラ２２〜３２を整列させるための第２凸部２２ｅ〜３２ｅが設けられている。
【００３８】
そして、この馬蹄錠２は、カンヌキ８の一部がケース６の挿入孔に挿入されることにより、カンヌキ８に形成された被係合部（図示略）と、シリンダ錠２０の突起３６ｂ（図２参照）に連結された連結部材と、が係合し、内筒３６は突起３６ｂを介して時計と逆方向に回転される。そして、タンブラ２２〜３２の第１凸部２２ｃ〜３２ｃと、タンブラ係合溝３８ｂとが係合すると共に、サイドバー４２の係合頭部４２ａと、外筒３８のサイドバー係合部３８ａとが係合し、内筒３６が回転不可能となり、施錠状態となる。
【００３９】
一方、施錠状態にある馬蹄錠２において、鍵４をシリンダ錠２０の鍵挿通孔に挿入すると、鍵４の凹溝５６の側壁５８と第２凸部２２ｅ〜３２ｅとが係合して各タンブラ２２〜３２が整列し、第１凸部２２ａ〜３２ａと外筒３８のタンブラ係合溝３８ｂとの係合が解除されると共にサイドバー４２の係合頭部４２ａが内筒３６内に収納可能な状態となり、内筒３６が回転可能となる。そして、鍵４を時計と同方向に回転させることにより、内筒３６と共に突起３６ｂも時計と同方向に回転して、カンヌキ８に形成された被係合部と、連結部材との係合が解除されるので、カンヌキ８はコイルスプリングの付勢力に従い自動的にケース６内に収納され、解錠状態となる。
【００４０】
つまり、この施錠装置１によれば、この鍵４に形成された凹溝５６は加工が困難であり、この溝を加工するために特殊な切削機械を用いる必要があるので、鍵４が容易に複製されることを防止することができ、馬蹄錠２の不正な解錠を防止することができる。そして、鍵山が鍵板５２の外形より外に出ていないので、鍵４の抜き差しがスムーズであり、凹溝５６は非対称に形成されているので、凹溝５６の形成する側壁５８の形状が倍になり、鍵の番手を増やすことが可能である。さらに、両側面に設けられた凹溝５６は同形状であるために、表裏を問わず使用でき、都合がよい。
【００４１】
そして、内筒３６の鍵挿通孔を解放及び閉鎖可能な板状のカバー４８を設け、このカバー４８がカバー支持部３６ｅ内で、鍵挿通孔を閉鎖する位置にカバースプリング５０によって支持されるようにしている。
【００４２】
このため、鍵挿通孔がカバー４８により塞がれるので、鍵４が挿入されていないときに鍵穴に水又は埃等が侵入することを防止することができ、馬蹄錠２の屋外での使用にも適している。また、鍵４の先端をカバー４８にあてて鍵を差し込むことで、カバー４８をスライドさせて鍵４をシリンダ錠２０内に挿入できるので便利である。さらに、板片のカバー４８と、コイルばねであるカバースプリング５０とを用いることで、低コストに鍵挿通孔を閉鎖する機構を実現している。
【００４３】
また、内筒３６の一端に、鍵４を挿入するためのガイド４６ｃが設けられたキャップ４６が嵌合され、カバー４８にこのガイド４６ｃに合わせて面取り４８ｂが形成されているので、このガイド４６ｃに沿って、鍵４の先端を面取り４８ｂにあてて鍵４を差し込むことで、より容易にカバー４８を解放する位置にスライドさせて鍵４をシリンダ錠内に挿入できるので、都合がよい。
【００４４】
さらに、タンブラ挿入孔３６ａが内筒３６の側壁の両側面から交互に穿設されており、タンブラ２２〜３２が、内筒３６に両側面から交互に挿入されているので、例えば同じタンブラを使用しても右側から挿入した場合と、左側から挿入した場合とでは、鍵４に係合する第２凸部２２ｅ〜３２ｅの位置が異なる。このため、同数のタンブラで番手数を２倍にすることが可能となり、より防犯効果を高めることができる。
【００４５】
また、タンブラ挿入孔３６ａの一端に形成されたスプリング挿入部３６ｃは、他の部分より幅が必要であるが、タンブラスプリング４０の挿入部が両側面で交互に設けられているので、各タンブラ挿入孔３６ａの間隔を狭くすることができ、内筒３６の長さがより短く構成されている。このため、シリンダ錠２０全体の長さを短くすることができ、鍵４の長さも短くなるので、小型のケース６に組み込むことが可能であると共に、シリンダ錠２０及び鍵４自体の加工費を抑えることができる。
［第２実施例］
次に、第２実施例について説明する。図５は、第２実施例のシャックル錠７２及び鍵７４の外観を示す斜視図であり、図６は、第２実施例のシャックル錠７２に取付られたシリンダ錠８０の内部構成及び鍵７４の形状を示す分解図である。
【００４６】
第２実施例の施錠装置７１は、シャックル錠７２と、このシャックル錠７２を解錠するための鍵７４とから構成される。シャックル錠７２は、図５に示すように、円筒状のケース７６と、ケース７６に設けられた２箇所の挿入部７６ａに、両端部が挿入されてケース７６と共にループ体を形成するＵ字型の係止ロッド７８と、係止ロッド７８の端部がケース７６に挿入された状態で、端部の取り外しを不可とするシリンダ錠８０とを備えている。
【００４７】
尚、本第２実施例のシャックル錠７２の内部構造は、特許第３５５４３７０号等に開示されるものであり、上記構成部品の他に、ケース７６内に軸支されて回動可能であると共に、係止ロッド７８の端部に設けられた被係合部に係合する細長い円柱形状の軸部材（図示略）、シリンダ錠８０に連結し、軸部材に係合して軸部材を回動するための連結部材（図示略）等を備えている。
【００４８】
一方、鍵７４は、図６に示すように、合成樹脂製の摘み１１４と、シリンダ錠８０の内筒９６とほぼ等しい長さの長尺状の鍵板１０２からなる。そして、鍵板１０２は、シリンダ錠８０に挿入しやすいように先端部１１０が先細形状に形成されている。また、鍵板１０２の板面１０４には鍵板１０２の側端縁に沿って窪み１０６が形成されており、この窪み１０６は鍵７４の挿入方向に平行で、且つ幅方向の中心を通る線を中心線として非対称に形成されている。また、この中心線上には、一定の幅で鍵７４をシリンダ錠８０に挿入する際のガイドとなるガイド溝１１２が形成されている。そして、窪み１０６及びガイド溝１１２は、鍵板１０２の板面１０４を上方から見たときに両板面が同形状となるように形成されており、表裏を問わず使用可能に構成されている。
【００４９】
シリンダ錠８０は、図６に示すように、中央部に鍵を挿通するための挿通孔が形成された６枚のタンブラ８２〜９２と、中央部に鍵を挿通するための切り欠きが形成されたストッパータンブラ９４と、これらのタンブラ８２〜９２及びストッパータンブラ９４を挿入するためのタンブラ挿入孔を有する内筒９６と、この内筒９６を回動可能に支持するための中空部を有し、この中空部の内周面にタンブラ８２〜９２及びストッパータンブラ９４が係合可能な溝が形成された外筒９８と、タンブラ８２〜９２及びストッパータンブラ９４と共に前記各タンブラ挿入孔に夫々挿入され、タンブラ８２〜９２及びストッパータンブラ９４が外筒９８の内周面に形成された溝に係合するようにタンブラ８２〜９２及びストッパータンブラ９４を外向きに各々付勢する複数のタンブラスプリング（図示略）と、外筒９８と内筒９６との間に径方向への往復動が可能なサイドバー（図示略）、サイドバーに外向きの付勢力を作用させるサイドバースプリング（図示略）と、から構成されている。
【００５０】
尚、本第２実施例のシリンダ錠８０は、第１実施例のシリンダ錠２０から鍵挿通孔を閉鎖するためのカバー４８と、関連する部品を取り除いたものであり、内筒９６以外の構成部品の構成は、第１実施例のシリンダ錠２０とほぼ同様であるため、以下、異なる点についてのみ説明する。
【００５１】
内筒９６は、円柱状に形成され、円柱の一端側から他端方向に向かって鍵７４の鍵板１０２の外形に適合する形状及び大きさで鍵挿通孔が穿設されており、この鍵挿通孔には、鍵７４の挿入時にガイド溝１１２に係合する突条が形成されている。そして、この円柱の反対側の端部には、係止ロッド７８に形成された被係合部に係合する軸部材に連結部材を介して連結される突起９６ｂが２箇所に突設されている。そして、円柱の側壁から鍵挿通孔を含む内部領域にかけて、タンブラ８２〜９２及びストッパータンブラ９４を挿入するためのタンブラ挿入孔が長さ方向へ一定間隔毎に穿設され、各タンブラ挿入孔の一端には、タンブラ８２〜９２及びストッパータンブラ９４を外向きに付勢し、外筒９８の内周面に形成された溝に押圧するタンブラスプリングが挿入されるスプリング挿入部が、両側面で交互に形成されている。さらに内筒９６の側壁には、サイドバーを支持するための矩形のサイドバー支持孔が形成され、このサイドバー支持孔の底部には、サイドバーの一部が挿入可能な脚部挿入溝が形成されて鍵挿通孔及びタンブラ挿入孔に貫通している。
【００５２】
また、鍵が差し込まれる側の端部にはフランジ状に突出する鍔部９６ａが形成され、組立時に外筒９８の端面に接触するように構成されている。
尚、本第２実施例において、ケース７６は本考案の錠本体に相当し、係止ロッド７８は本考案の接続部材に相当し、タンブラスプリングは、本考案のコイルばねに相当し、突起９６ｂ、軸部材、連結部材は本考案の係合部に相当する。
【００５３】
そして、このシリンダ錠８０の組立方法は、カバー４８と、関連部品との組立部分以外はシリンダ錠２０の組立方法と同じであるため、省略する。
このように構成された第２実施例の施錠装置７１は、シャックル錠７２の係止ロッド７８の両端部がケース７６に設けられた挿入部７６ａに挿入されて、係止ロッド７８とケース７６とにより施錠のためのループ体を形成した際に、係止ロッド７８の端部に形成された被係合部に連結部品等を介して係合しこのループ形状を保持するためのシリンダ錠８０を備えている。そして、このシリンダ錠８０に挿入される鍵７４は、鍵板１０２の板面１０４に鍵板１０２の側端縁に沿って窪み１０６が非対称に形成され、この窪み１０６は板面１０４を上方から見たときに同形状となるように形成されている。一方、シリンダ錠８０を構成するタンブラ８２〜９２の鍵挿通孔の内部には、鍵７４が挿入された際に、鍵７４の窪み１０６の側壁１０８に係合して各タンブラ８２〜９２を整列させるための第２凸部が設けられている。
【００５４】
そして、このシャックル錠７２は、係止ロッド７８の両端部がケース７６に設けられた挿入部７６ａに挿入されることにより、係止ロッド７８の端部に形成された被係合部と軸部材とが係合すると共に軸部材が回転され、内筒９６は、突起９６ｂ及び連結部品を介して軸部材と共に時計と逆方向に回転される。そして、タンブラ８２〜９２の第１凸部と、タンブラ係合部とが係合すると共に、サイドバーの係合頭部が、外筒９８のサイドバー係合部に係合し、内筒９６が回転不可能となり、施錠状態となる。
【００５５】
一方、施錠状態にあるシャックル錠７２において、鍵７４をシリンダ錠８０の鍵挿通孔に挿入すると、タンブラ８２〜９２の第２凸部が鍵板１０２に形成された窪み１０６の側壁１０８に係合してタンブラ８２〜９２が内筒９６内に収納され、第１凸部と、タンブラ係合溝との係合が解除されると共にサイドバーの係合頭部が内筒９６内に収納可能な状態となり、鍵７４が回転可能となる。そして、鍵７４を時計と同方向に回転させることにより、内筒９６と共に突起９６ｂ及び軸部材が時計と同方向に回転し、係止ロッド７８の端部に形成された被係合部と、軸部材との係合が解除され、係止ロッド７８を取り外し可能となり、解錠状態となる。
【００５６】
このため、本第２実施例の施錠装置７１においても、第１実施例の施錠装置１で得られる効果の内、カバー４８に関するもの以外の効果を得ることができる。
以上、本考案の実施例について説明したが、本考案は、種々の形態を採り得ることは言うまでもない。
【００５７】
本実施例では施錠装置を馬蹄錠２又はシャックル錠７２と、これに使用される鍵とによい構成したが、錠本体と接続部材とによりループ形状を構成するものであれば何でも良く、例えばワイヤー錠とこれに使用される鍵でもよい。
【００５８】
また本実施例では、シリンダ錠２０を馬蹄錠２に適用し、シリンダ錠８０をシャックル錠７２に適用したが、この組み合わせに特定されるものではなく、例えばシャックル錠７２のシリンダ錠としてシリンダ錠２０を用いてもよい。
【図面の簡単な説明】
【００５９】
【図１】第１実施例の馬蹄錠２及び鍵４の外観を示す斜視図である。
【図２】第１実施例のシリンダ錠２０の内部構成及び鍵４の形状を示す分解図である。
【図３】タンブラ２２及びストッパータンブラ３４の形状を示す外形図である。
【図４】カバー４８の構成を説明する説明図である。
【図５】第２実施例のシャックル錠７２及び鍵７４の外観を示す斜視図である。
【図６】第２実施例のシリンダ錠８０の内部構成及び鍵７４の形状を示す分解図である。
【符号の説明】
【００６０】
１…施錠装置、２…馬蹄錠、４…鍵、６…ケース、８…カンヌキ、１０…スリット、
１２…レバー、２０…シリンダ錠、２２〜３２…タンブラ、２２ａ〜３２ａ…鍵挿通孔、２２ｂ〜３２ｂ…スプリング支持部、２２ｃ〜３２ｃ…第１凸部、２２ｄ〜３２ｄ…サイドバー支持溝、２２ｅ〜３２ｅ…第２凸部、３４…ストッパータンブラ、３４ａ…切り欠き、３６…内筒、３６ａ…タンブラ挿入孔、３６ｂ…突起、３６ｃ…スプリング挿入部、３６ｄ…サイドバー支持孔、３６ｅ…カバー支持孔、３６ｆ…カバースプリング支持溝、３６ｇ…係止孔、３８…外筒、３８ａ…サイドバー係合部、３８ｂ…タンブラ係合溝、３８ｃ…ストッパータンブラ係合部、４０…タンブラスプリング、４０ｂ…脚部、４２…サイドバー、４２ａ…係合頭部、４２ｂ…脚部、４２ｃ…支持溝、４４…サイドバースプリング、４６…キャップ、４６ａ…鍵挿通孔、４６ｂ…係止爪、４６ｃ…ガイド、４８…カバー、４８ａ…切り欠き、４８ｂ…面取り、４８ｃ…エッジ、５０…カバースプリング、５２…鍵板、５４…板面、５６…凹溝、５８…側壁、６０…先端部、６２…摘み、７１…施錠装置、７２…シャックル錠、７４…鍵、７６…ケース、７６ａ…挿入部、７８…係止ロッド、８０…シリンダ錠、８２〜９２…タンブラ、９４…ストッパータンブラ、９６…内筒、９６ａ…鍔部、９６ｂ…突起、９８…外筒、１０２…鍵板、１０４…板面、１０６…窪み、１０８…側壁、１１０…先端部、１１２…ガイド溝、１１４…摘み
【図１】
0003110279.tif 000003
【図２】
0003110279.tif 000004
【図３】
0003110279.tif 000005
【図４】
0003110279.tif 000006
【図５】
0003110279.tif 000007
【図６】
0003110279.tif 000008